(57)【要約】【課題】  印刷ではなく本物素材を使用して質感や手触りに拘った高級感のある携帯情報端末用保護フィルムを提供する。【解決手段】  一方面側に吸着性若しくは粘着性を有する透明層１０２と、この透明層１０２の他方面側に積層された木材層１０８と、を備え、貼付した際に携帯情報端末の表示部に相当する部分には、透明層１０２が存在するが木材層１０８は存在しないように構成する。【選択図】図２
0003181794.tif 000002
【実用新案登録請求の範囲】
【請求項１】
一方面側に吸着性若しくは粘着性を有する透明層と、
当該透明層の他方面側に積層された本物素材層と、を備え、
貼付した際に携帯情報端末の表示部に相当する部分には、前記透明層は存在するが前記本物素材層は存在しないように構成される
ことを特徴とする携帯情報端末用保護フィルム。
【請求項２】
請求項１において、
前記本物素材層は、木材、布生地、金属、皮革、石材、フェルト生地、不織布生地、ゴム材又は紙材のいずれか若しくはこれらの組合せである
ことを特徴とする携帯情報端末用保護フィルム。
【請求項３】
携帯情報端末の正面側用及び背面側用として、正面側及び背面側で共通の前記本物素材層を備えた請求項１又は２に記載の携帯情報用保護フィルムセット。
【考案の詳細な説明】
【技術分野】
【０００１】
本考案は、スマートフォン、タブレット端末、携帯用ゲーム機等の携帯情報端末本体に貼り付けて使用する保護フィルムに関する。
【背景技術】
【０００２】
従来、特許文献１に示されるような携帯情報端末用保護フィルムが公知である。特許文献１に記載の携帯情報端末用保護フィルムは、携帯情報端末の液晶表示部のみならずその周囲にまで渡って保護する保護フィルムである。液晶表示部に相当する部分は透明のままとされ、それ以外の部分は当該透明のフィルムに印刷を施して非透明部が構成されている（特許文献１の段落［００１９］を参照）。この非透明部として印刷するデザイン（模様・色彩等）を変えることで、様々な意匠の保護フィルムを構成することが可能となっている。
【先行技術文献】
【特許文献】
【０００３】
【特許文献１】実用新案登録第３１２７７２２号公報
【考案の概要】
【考案が解決しようとする課題】
【０００４】
しかしながら、上記特許文献１に記載の保護フィルムは、様々なデザインを施すことは可能であるが、あくまでも透明フィルム上への印刷により様々なデザインを表現しているだけであり、例えば木目表示の印刷を施したような場合でも、間近で詳細に観察した際の質感や手触りは本物の木材に遠く及ばないし、当然ながら高級感にも乏しい。
【０００５】
一方、本物素材（例えば金属や木材、皮革など）を使った携帯情報端末用の保護ケースは多数存在するも、質感に優れ、保護という観点からは望ましいものの、ケースに収納することで折角薄型に構成されている携帯情報端末のメリットが台無しとなってしまっている現状があった。
【０００６】
本考案は、これらの問題点を解決するべくなされたものである。
【課題を解決するための手段】
【０００７】
上記課題を解消するべく、本考案は、一方面側に吸着性若しくは粘着性を有する透明層と、当該透明層の他方面側に積層された本物素材層と、を備え、貼付した際に携帯情報端末の表示部に相当する部分には、前記透明層は存在するが前記本物素材層は存在しないように構成されることを特徴とする。
【０００８】
このように構成することによって、携帯情報端末の表示部は透明層の存在によってしっかり保護することが出来ることに加え、表示部以外の部分に関しては透明層の上に（印刷ではなく）本物素材を薄切りにして積層することによって、視覚的にも手触り的にも本物素材（リアル素材）特有の質感を使用者に与えることができる。
【０００９】
この本物素材層の材料としては、木材、布生地、金属、皮革、石材、フェルト生地、不織布生地、ゴム材又は紙材のいずれか若しくはこれらの組合せなど種々の本物素材を使用して構成することが可能である。
【００１０】
例えば、各種地域特産物としての木材や織物生地を利用すれば、旅行等のお土産物としてご当地ならではの商品として商品価値を高めることが出来る。
【００１１】
また上記のような保護フィルムを、携帯情報端末の表示部側（正面側）だけでなく背面側も同じ本物素材を利用したセットとして構成してもよい。
【００１２】
このように構成すれば、携帯情報端末を使用する際には必ず本物素材を見たり本物素材に直接触れたりすることになるので、使用者は本物素材の質感を十分に堪能することが出来るようになる。また、両面側に装着したとしても保護フィルム自体非常に薄型に構成されているので、装着による携帯情報端末の厚みの増加は僅かである。
【００１３】
本考案により、高級感のある携帯情報端末用保護フィルムを提供することができる。
【図面の簡単な説明】
【００１４】
【図１】本発明に係る携帯情報端末用保護フィルムを取り付ける位置関係を示した図である。
【図２】（ａ）は、正面側保護フィルムの表面図、（ｂ）は矢示Ａ−Ａ線に沿う断面図である。
【図３】（ａ）は、背面側保護フィルムの表面図、（ｂ）は矢示Ｂ−Ｂ線に沿う断面図である。
【考案を実施するための形態】
【００１５】
以下、添付図面を参照しつつ、本考案の実施形態の一例である携帯情報端末用保護フィルム１００、２００につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１６】
〈携帯情報端末用保護フィルムの構成〉
図１に示しているように、本考案の実施形態の一例である携帯情報端末用保護フィルムは、スマートフォン（携帯情報端末）１０の正面側（表示部１２側）に貼付する正面側保護フィルム１００と、背面側に貼付する背面側保護フィルム１２０のセットとして構成されている。
【００１７】
正面側保護フィルム１００は、携帯情報端末１０の大きさと略同じサイズの矩形に成形され、表面に木目模様が現れるように構成されている。また、この正面側保護フィルム１００は、透明層１０２と木材層（本物素材層）１０８とからなる２層の積層構造とされている（図２（ｂ）参照：但し図面理解容易のため厚みを誇張して表現している。）。
【００１８】
透明層１０２は、樹脂性の無色透明な薄型のシート地であり、一方面（反木材層１０８側の面）には微少な吸盤構造が備わっていて（図示していない）、平滑面に対して繰り返し貼付したり剥がしたりすることが可能とされている。また透明層１０２は携帯情報端末１０の通話スピーカ１４の位置に相当する部分が通話スピーカ用穴１０４としてくり抜かれている。また、携帯情報端末１０の操作ボタン１６の位置に相当する部分が操作ボタン用穴１０６としてくり抜かれている。しかし一方、携帯情報端末１０の液晶表示部１２に相当する表示部透過窓１０１の部分に関してはくり抜かれておらず、表示部透過窓１０１内全面に渡って透明層１０２は存在している。
【００１９】
木材層１０８は、天然の木材（本物素材、リアル素材）を薄く（例えば０．３ｍｍ程度）スライスしたものである。この木材層１０８は前述した透明層１０２に積層するように接着固定されており、透明層１０２と同じ大きさとなるように構成されている。木材層１０８においても、携帯情報端末１０の通話スピーカ１４の位置に相当する部分が通話スピーカ用穴１０４としてくり抜かれ、また、携帯情報端末１０の操作ボタン１６の位置に相当する部分が操作ボタン用穴１０６としてくり抜かれている。更に木材層１０８においては、携帯情報端末１０の液晶表示部１２に相当する表示部透過窓１０１の部分に関してもくり抜かれていて、液晶表示部１２表示内容が漏れなく視認できるように構成される。
【００２０】
背面側保護フィルム１２０は、正面側保護フィルム１００と同様に、携帯情報端末１０の大きさと略同じサイズの矩形に成形され、表面に木目模様が現れるように構成されている。また、この背面側保護フィルム１２０も、透明層１２６と木材層（本物素材層）１２４とからなる２層の積層構造とされている（図３（ｂ）参照：但し図面理解容易のため厚みを誇張して表現している。）。
【００２１】
透明層１２６は、樹脂性の無色透明な薄型のシート地であり、一方面（反木材層１２４側の面）には微少な吸盤構造が備わっていて（図示していない）、平滑面に対して繰り返し貼付したり剥がしたりすることが可能とされている。また透明層１２６は携帯情報端末１０のカメラレンズやフラッシュ用ＬＥＤ（図示していない。）の位置に相当する部分がカメラ穴１２２としてくり抜かれている。
【００２２】
木材層１２４は、天然の木材（本物素材、リアル素材）を薄く（例えば０．３ｍｍ程度）スライスしたものである。この木材層１２４は前述した透明層１２６に積層するように接着固定されており、透明層１２６と同じ大きさとなるように構成されている。木材層１２４においても、携帯情報端末１０のカメラレンズやフラッシュ用ＬＥＤ（図示していない。）の位置に相当する部分がカメラ穴１２２としてくり抜かれている。
【００２３】
〈携帯情報端末用保護フィルムの作用・機能〉
【００２４】
本考案に係る携帯情報端末用保護フィルム１００、１２０は、夫々透明層１０２、１２６の一方面に備わる吸着構造を携帯情報端末１０側に向けて当該端末に貼り付けるだけで装着が完了する。必要であれば剥がしたり貼り付けたりを繰り返し行うことができる。
【００２５】
携帯情報端末１０の液晶表示部１２は、正面側携帯情報端末保護フィルム１００における透明層１０２の存在によってしっかり保護される。また、液晶表示部１２以外の部分に関しては透明層１０２の上に（印刷ではなく）本物の木材を薄切りにして木材層１０８として積層することによって、視覚的にも手触り的にも本物素材（リアル素材）特有の質感を携帯情報端末１０の使用者に与えることを実現している。
【００２６】
更に、正面側のみならず背面側にも保護フィムル貼付し且つ共通の木材を使っているので、携帯情報端末１０を使用する際には必ず木材層１０８、１２４として構成している本物の木材を見たり直接触れたりすることになるので、使用者は木材の質感を十分に堪能することが出来る。また、両面側に装着したとても保護フィルム自体非常に薄型に構成されているので、装着による携帯情報端末１０の厚みの増加は僅かである。
【００２７】
なお、上記では携帯情報端末として所謂スマートフォンを例に説明しているが、スマートフォン以外にも、タブレット端末、携帯用ゲーム端末など、液晶等の表示部を備え手に持って携帯・操作する種類の端末に幅広く適用することが可能である。
【符号の説明】
【００２８】
１０・・・スマートフォン（携帯情報端末）
１２・・・液晶表示部
１４・・・通話スピーカ
１６・・・操作ボタン
１００・・・正面側保護フィルム
１０１・・・表示部透過窓
１０２・・・透明層
１０４・・・通話スピーカ用穴
１０６・・・操作ボタン用穴
１０８・・・木材層
１２０・・・背面側保護フィルム
１２２・・・カメラ穴
１２４・・・木材層
１２６・・・透明層
【図１】
0003181794.tif 000003
【図２】
0003181794.tif 000004
【図３】
0003181794.tif 000005